(57)【要約】【課題】携行性に優れ、人が水中に落下した際に、直ちに背浮きさせるのに役立つ救命補助具を提供する直ちに救命することを可能にする救命補助具を提供する。【解決手段】本発明の救命補助具１は、開口部３ａを備え、開口部３ａを介して空のペットボトル３０を複数本纏めて収容可能なネット状の収容袋３と、開口部３ａに設けられ、収容したペットボトル３０が飛び出さないように閉塞する閉塞手段５と、一端側と他端側のそれぞれが収容袋３に接続される帯状のハンドル１２と、収容袋３に連結された浮遊可能なロープ状の引手１５と、を有し、収容袋３は、空のペットボトルを収容した状態で投擲可能な加重手段１０を有することを特徴とする【選択図】  図２
2020157852.tif 000002
【特許請求の範囲】
【請求項１】
開口部を備え、開口部を介して空のペットボトルを複数本纏めて収容可能なネット状の収容袋と、
前記開口部に設けられ、収容したペットボトルが飛び出さないように閉塞する閉塞手段と、
一端側と他端側のそれぞれが前記収容袋に接続される帯状のハンドルと、
前記収容袋に連結された浮遊可能なロープ状の引手と、
を有し、
前記収容袋は、前記空のペットボトルを収容した状態で投擲可能な加重手段を有することを特徴とする救命補助具。
【請求項２】
前記ロープ状の引手の先端には、浮力体が装着されていることを特徴とする請求項１に記載の救命補助具。
【請求項３】
前記加重手段は、収容袋に接続される錘であることを特徴とする請求項１又は２に記載の救命補助具。
【請求項４】
前記錘は、前記開口部に装着されるリング状の部材であることを特徴とする請求項３に記載の救命補助具。
【請求項５】
前記加重手段は、収容袋の素材そのもので構成されることを特徴とする請求項１又は２に記載の救命補助具。
【請求項６】
前記加重手段は、比重が１．００以上の未満で構成されることを特徴とする請求項１から５のいずれか１項に記載の救命補助具。
【請求項７】
前記加重手段は、８０ｇ〜１０００ｇの重さを有していることを特徴とする請求項１から６のいずれか１項に記載の救命補助具。
【請求項８】
前記収容袋は、人の指が通過する大きさの網目で縫製されることを特徴とする請求項１から７のいずれか１項に記載の救命補助具。
【発明の詳細な説明】
【技術分野】
【０００１】
本発明は、主に魚釣り等のレジャーをする際に携行され、誤って海、川、及び、湖沼などの水中に落下した人に対して、救助が来るまでに背浮きさせるのに役立つ救命補助具に関する。
【背景技術】
【０００２】
魚釣りを行なう場所には、防波堤、磯場などがある。このような場所で魚釣りを行なう場合、ライフジャケットのような救命具を着用することが奨励されるが、現実的には、救命具はおろか救命補助具すら携行しない傾向が強い（海上保安庁の調査では、防波堤などでは７０％以上が無防備との調査データもある）。このため、足を滑らせる等、誤って海や川に落下すると、救助が困難になってしまう。
【０００３】
救命装置として、例えば、特許文献１には、水面に浮き出る浮体と、浮体に接続されたネットとを備えたものが開示されている。この救命装置は、発泡スチロール材料やスポーツ用ボールを浮体とし、これをネットに収容して使用される。また、例えば、特許文献２には、津波や洪水などの非常事態に使用される簡易救命浮きが開示されている。この簡易救命浮きは、各種の浮力体を収容できる透水質の袋で構成されており、津波や洪水などが発生した場合、袋に浮力体を収容し、結び紐やベルトで身体に装着できる構成となっている。
【先行技術文献】
【特許文献】
【０００４】
【特許文献１】実用新案登録第３１７０６１１号
【特許文献２】特開２００４−３５１１９８号
【発明の概要】
【発明が解決しようとする課題】
【０００５】
上記したような従来の救命装置は、防波堤や磯場などで第三者が誤って水中に落下した際に、直ちに救命（落下者を背浮きさせて、本格的な救助が来るまでの緊急の救命補助具）することを考慮したものではない。すなわち、従来の救命装置は、水中に誤って落下しても完全に浮かせることを主目的としたものであり、予め着衣させるなど、大掛かりなものであるため、上記した調査データが示すとおり、常時、携行しないものと考えられる。
【０００６】
また、上記した特許文献１に開示された救命装置は、発泡スチロール材料やスポーツ用ボール等の浮体を準備する必要があるため、魚釣り等のレジャーに携行する際には不便であるとともに、浮体を収容したネットは軽量であるため、人が水中に落下した時に、直ちに落下位置付近に投下することが難しい。例えば、強風時には、風で煽られてしまい、狙った位置に投下することが難しくなる。上記した特許文献２に開示された救命浮きは、津波や洪水などの非常事態時において、収容袋内に各種の浮力体を収容し、これを身体に装着して使用するものであり、人が水中に落下した時に直ちに救命することを考慮したものではない。このため、特許文献１の構成と同様、人が水中に落下した時に直ちに落下位置付近に投下することが難しい。
【０００７】
一般社団法人水難学会では、誤って海や川に落下した人に対して、ペットボトルを投下して、救助が来るまで背浮きさせることを推奨している。すなわち、誤って水中に落下した際に、その落下者に対して、「浮いて待て」と声掛けすると共に、背浮きに役立つように空のペットボトルを投下することが紹介されている。通常、大人が水中に落下した際、背浮きさせるには、５００ｍｌのペットボトルが少なくとも２〜３本必要となるが、実際に落下した人の周囲に空のペットボトルを投下させることは難しい。
【０００８】
本発明は、上記した問題に着目してなされたものであり、本格的な救命胴衣ではなく、携行性に優れ、人が水中に落下した際に、直ちに背浮きさせるのに役立つ救命補助具を提供することを目的とする。
【課題を解決するための手段】
【０００９】
上記した目的を達成するために、本発明に係る救命補助具は、開口部を備え、開口部を介して空のペットボトルを複数本纏めて収容可能なネット状の収容袋と、前記開口部に設けられ、収容したペットボトルが飛び出さないように閉塞する閉塞手段と、一端側と他端側のそれぞれが前記収容袋に接続される帯状のハンドルと、前記収容袋に連結された浮遊可能なロープ状の引手と、を有し、前記収容袋は、前記空のペットボトルを収容した状態で投擲可能な加重手段を有することを特徴とする。
【００１０】
上記した構成の救命補助具は、ネット状の収容袋として構成されているため、折り畳むことができ、容易に携行することができる。また、釣場では、釣人（周囲にいる複数の釣人を含む）は、水分補給のためペットボトルを持参していることが多く、誤って人が水中に落下した際は、直ちに空になったペットボトル、或いは、中身を放出して空にしたペットボトルを収容袋の開口部を介して収容し、閉塞手段で閉塞すれば良い。この場合、着衣状態の大人１名を支えるには、少なくとも５００ｍｌのペットボトルが２〜３本以上必要となることから、収容袋は、それに応じて大きさが特定される。
【００１１】
そして、ペットボトルを収容した収容袋は、加重手段によって、ある程度の重さがあるため、落下者の近辺に投擲することが容易に行えるようになる（風などがあっても煽られることなく、狙いの位置に投擲可能となる）。また、水中に落下した収容袋は、ある程度の自重があることから、その位置が安定し、風が吹いても飛ばされるようなことはない。また、落下者の位置から多少、離れた位置に落下しても、ロープ状の引手が浮遊していることから、落下者は、引手を掴んで収容袋を手繰り寄せることも可能となる。そして、落下者は、投擲された収容袋を掴んで抱きかかえる、ハンドルを掴む、ハンドル部分に腕を入れる等、しっかりホールドすることができ、収容袋を抱きかかえて背浮きすることが可能となり、本格的な救助が来るまで十分な延命効果を得ることが可能となる。
【発明の効果】
【００１２】
本発明によれば、携行性に優れ、人が水中に落下した際に、直ちに背浮きさせるのに役立つ救命補助具が得られる。
【図面の簡単な説明】
【００１３】
【図１】本発明の一実施形態に係る救命補助具の全体構成を示す図。
【図２】収容袋にペットボトルを収容した状態を示す図。
【図３】ペットボトルを収容した収容袋（救命補助具）が水に浮いている状態を示す図。
【図４】救命補助具に装着される錘の変形例を示す図。
【発明を実施するための形態】
【００１４】
以下、本発明に係る救命補助具の実施形態を図１及び図２を参照して説明する。
本実施形態に係る救命補助具１は、開口部３ａを備え、開口部３ａを介して空のペットボトルを複数本纏めて収容可能なネット状の収容袋３を備えている。収容袋３は、ネット状に縫製されて有底の円筒形状とすることができ、図に示すように、少なくとも５００ｍｌのペットボトル３０が、複数本(本実施形態では、６本程度とされる)収容可能な収容空間３Ａが形成されている。この場合、ネットを縫製するに際し、各網目３ｂの大きさについては、人の手の指が差し込める程度に形成しておくことが好ましい。すなわち、網目が大きいと、落下者は、手を伸ばして網目３ｂに指を引っ掛けて手繰り寄せることが簡単に行え、収容袋３を容易に掴んで手元に引き寄せることが可能となる。
【００１５】
前記開口部３ａを形成する部分には、開口部３ａを閉塞する閉塞手段５が設けられている。本実施形態の開口部は、円形状に形成されており、閉塞手段５は、その円形の開口部に亘ってループ状に巻き回される紐５ａで構成されている。このため、紐５ａの両端を引くことで開口部３ａを絞り込んで閉塞することができ、その両端を結ぶことで、閉塞状態を維持することが可能となる。このように、開口部３ａは、紐５ａの操作によって、簡単な動作で閉塞することが可能となっており、閉塞することで、収容したペットボトル３０が開口部３ａから飛び出さないようにすることができる。
【００１６】
なお、前記収容袋３については、大人１名が掴んでも浮くことができるように、５００ｍｌのペットボトル３０が、少なくとも２〜３本収容できる大きさに形成されていれば良く、更には、リッターサイズのペットボトルを収容できる大きさに形成されていても良い。また、収容袋３を閉塞する前記閉塞手段については、チャック式のファスナ、面ファスナ、或いは、紐５ａの両端側を通過させて、任意の位置で固定できる公知の締結具（プッシュ式の締結具など）等、収容袋３の開口部３ａを閉塞してペットボトルが飛び出ないようにするものであれば、その構成は限定されることはない。
【００１７】
前記収容袋３は、空のペットボトル３０を収容した状態で投擲可能な加重手段１０を有している。加重手段１０は、収容袋そのもので構成されていても良いが、本実施形態の加重手段は、収容袋３に接続される錘として構成されている。具体的には、前記開口部３ａが縫着等されるリング形状に形成された錘１０ａで構成されており、錘１０ａは、そのまま手で握って投げ易い重さ（８０ｇから１０００ｇ程度が好ましい）の素材、例えば、硬質の材料（金属、硬質樹脂等）や、変形可能な材料（軟質性の樹脂、ゴム等）で構成することが可能である。このようなリング形状の錘１０ａによれば、上記した収容袋３の開口部３ａを縫着して形成することが可能であり、前記紐５ａについても、縫着された開口部３ａ部分の網目３ｂを縫うようにして配設することが可能となる。
【００１８】
なお、前記加重手段については、水中で浮くことができるように、比重が１．００未満であることが好ましい（例えば、比重が１．００未満のゴムなど）。また、収容袋３そのものを加重手段として構成しても良く、例えば、ポリプロピレンのような樹脂系素材（比重は１．００未満）の線状体で縫製することも可能である。このような素材で収容袋を縫製する場合、例えば、線状体の太さ、網状に縫製された積層体の厚さ、枚数等を調整して、投げ易い重さとなるようにすることで、、別途、錘などを連結する必要が無くなり、より携行性の向上が図れるようになる。
【００１９】
前記収容袋３には、一端側１２ａと他端側１２ｂのそれぞれが接続される帯状のハンドル１２が設けられている。ハンドル１２は、収容袋３との間で、腕を通すことができる程度の空間１２Ａが形成されるように接続されていれば良く、浮力を有する素材で形成されることが好ましい。本実施形態では、一端側１２ａが前記リング形状の錘１０ａに接続され、他端側１２ｂが収容袋３の底部に取り付けられている。
【００２０】
また、収容袋３には、浮遊可能なロープ状の引手１５が接続されている。この引手１５は、収容袋３が水中に投下された際に水面を漂わせて、落下者が掴んで収容袋を手繰り寄せることができるようにするものであり、ある程度の長さを備えている（長すぎると絡むため、２ｍ〜３ｍ程度が好ましい）。引手１５は、水面に浮遊する素材で形成されているのが好ましく、更には、その先端に、引手が確実に浮遊するように、浮力体１５ａが装着されていることが好ましい。
【００２１】
前記引手１５は、収容袋３に複数本、連結されていても良い。また、前記荷重手段１０とは、反対側に連結されていることが好ましい。すなわち、収容袋３を水中に投下すると、前記加重手段である錘１０ａが沈む（錘の比重が海水の比重１．０２５よりも大きい場合）ことから、その反対側に連結することで、浮遊する長さを長く確保することが可能になる。なお、錘１０ａとして、ゴム等、比重が１．００未満の素材を用いると、錘１０ａ側が浮くため、引手１５は、錘側に連結しても良い。
【００２２】
上記した構成の救命補助具１は、ネット状の収容袋３として構成されているため、折り畳むことができ、容易に携行することができる。このような収容袋３は、釣具、雨具等の小物入れとして、常時、携行することが可能であり、更には、クーラーボックス等にペットボトル３０を纏めて入れておく際の小物入れとしても利用することが可能である。この場合、実際に人が水中に落下した場合、収容されているペットボトルのキャップを取り外して中身を放出し、そのままキャップを締めて閉塞手段５を締め付けるだけで、直ちに救命補助具とすることが可能である。
【００２３】
なお、小物入れとして使用していたり、単に携行している場合であっても、釣場では、釣人（周囲にいる複数の釣人を含む）は、通常、水分補給のためペットボトルを持参していることから、誤って人が水中に落下した際には、小物を取り出す等して、直ちに空になったペットボトル、或いは、中身を放出して空にしたペットボトルを集めて収容袋３の開口部を介して収容し、閉塞手段５を閉塞するだけで、直ちに救命補助具とすることが可能である。
【００２４】
また、ペットボトル３０を収容した収容袋は、前記加重手段（リング状の錘１０ａ）によって、ある程度の重さがあるため、落下者の近辺に投擲することが容易に行えるようになる。通常、落下した時の人を助けるのは、３ｍ〜１０ｍ程度とされるが、加重手段があることで、風などがあっても煽られることなく、落下者が多少、離れた位置にいても、その位置に正確に投擲することが可能となる。特に、リング形状の錘１０ａにしたことで、手で掴んで投げ易く、狙った位置に投下し易くなる。
【００２５】
そして、図３に示すように、水中に落下した収容袋３は、前記加重手段（リング状の錘１０ａ）によって、ある程度の自重があることから、錘側が水中に沈むとともに、纏まった状態のペットボトル３０が浮いて、その位置が安定した状態で浮遊する。このため、風が吹いたり、波があっても浮遊している位置が大きく変動するようなことはない。また、落下者の位置から多少、離れた位置に落下しても、ロープ状の引手１５が、その周囲で浮遊していることから、落下者は、引手１５を掴んで収容袋３を手繰り寄せることが可能となる。特に、引手１５に浮力体１５ａを装着しておけば、引手１５の位置を把握させ易くすることができる。これにより、落下者は、投擲された収容袋３を掴んで抱きかかえる、ハンドル１２を掴む、ハンドル１２部分に腕を入れる等、収容袋をしっかりホールドすることができ、収容袋と共に背浮きすることが可能となる。
【００２６】
上記したような救命補助具１は、魚釣り等をする際の携行性に優れ、人が水中に落下した際には、時間を掛けることなく、直ちに救命作業をすることが可能となる。また、収容袋３は、一般的な小物入れ等としても活用できるため、常時、携行させることが可能となる。
【００２７】
以上、本発明の実施形態について説明したが、本発明は、上記した実施形態に限定されることはなく、種々変形することが可能である。ペットボトルを収容する収容袋３については、例えば、直方体形状にするなど、予め保形された構成であっても良く、その形状については、限定されることはない。
【００２８】
また、加重手段１０は、落下者に対して、その近傍に投擲できる重さがあるものであれば、その取付位置や、その形状（ブロック状等）については、適宜変形することが可能である。例えば、加重手段１０は、単体構造ではなく、複数個に分割されて収容袋３に装着されるものであっても良く、図４に示すように、複数個の錘１０ｃを開口部３ａに並べてリング状に配設する等、適宜変形することが可能である。この場合、加重手段として錘を装着するのであれば、その錘は、弾性部材など、軟質性を有する部材で覆うことが好ましい。このように、錘を軟質性の部材で覆うことにより、落水者に向けて収容袋を投げた際に、錘が当たるようなことがあっても、怪我をさせることはない。さらに、収容袋に対するハンドル１２や引手１５の連結方法についても適宜、変形することが可能である。
【符号の説明】
【００２９】
１  救命補助具
３  収容袋
３ａ  開口部
５  閉塞手段
５ａ  紐
１０  加重手段
１０ａ  リング状の錘
１０ｃ  錘
１２  ハンドル
１５  引手
３０  ペットボトル
【図１】
2020157852.tif 000003
【図２】
2020157852.tif 000004
【図３】
2020157852.tif 000005
【図４】
2020157852.tif 000006